(57)【要約】      （修正有）【課題】発光ダイオードに応用される駆動回路を提供する。【解決手段】発光ダイオードに応用される駆動回路において、電源供給ユニット１０、第１列発光ダイオード２０、第１電圧コントロールユニット３０、第２列発光ダイオード４０、及び第１パワー転移ユニット５０を包含する。該電源供給ユニットは駆動パワーを出力して該第１列発光ダイオードを駆動し、該第１電圧コントロールユニットは該駆動パワーを取得して安定化した電圧を該第１列発光ダイオードに提供し、該駆動パワーは該第１電圧コントロールユニットの具備するパワースイッチ３１でロスパワーを形成する。本発明は該第２列発光ダイオード及び該第１パワー転移ユニットと該第１電圧コントロールユニットが直列接続され、該ロスパワーが出力に転換されて該第２列発光ダイオードを駆動し、これにより、該駆動パワーの損失を減らして発光ダイオードの発光効率をアップする。【選択図】図２
2014107538.tif 000002
【特許請求の範囲】
【請求項１】
発光ダイオードに応用される駆動回路において、
駆動パワーを出力する出力端を包含する電源供給ユニットと、
該出力端に接続され並びに該駆動パワーを受けて駆動され、該出力端に接続された第１アノード端子と第１カソード端子を包含する、第１列発光ダイオードと、
該第１カソード端子に接続されて該駆動パワーを取得し、該第１列発光ダイオードに提供される電圧を安定化させ、パワースイッチを包含し、且つ該駆動パワーが該パワースイッチにおいてロスパワーを発生する第１電圧コントロールユニットと、
該第１電圧コントロールユニットに接続された第２列発光ダイオードと、
該第２列発光ダイオードと該第１電圧コントロールユニットの間に接続された第１パワー転移ユニットと、
を包含し、該第１パワー転移ユニットが、該第１電圧コントロールユニットの該パワースイッチにおいて発生する該ロスパワーを、該第１パワー転移ユニットを介して該第２列発光ダイオードへの出力に転じることで、該第２列発光ダイオードを駆動することを特徴とする、発光ダイオードに応用される駆動回路。
【請求項２】
請求項１記載の発光ダイオードに応用される駆動回路において、該第１電圧コントロールユニットはコントロール端子とフィードバック端子を包含し、該パワースイッチはそれぞれ該コントロール端子と該フィードバック端子に接続され、該第２列発光ダイオードは該第１パワー転移ユニットに直列接続されて、該コントロール端子と該フィードバック端子の間に接続されることを特徴とする、発光ダイオードに応用される駆動回路。
【請求項３】
請求項１記載の発光ダイオードに応用される駆動回路において、該第１列発光ダイオードは第１コンデンサ及び第１抵抗器と並列接続されることを特徴とする、発光ダイオードに応用される駆動回路。
【請求項４】
請求項１記載の発光ダイオードに応用される駆動回路において、該第２列発光ダイオードは第２コンデンサ及び第２抵抗器と並列接続されることを特徴とする、発光ダイオードに応用される駆動回路。
【請求項５】
請求項１記載の発光ダイオードに応用される駆動回路において、該第１電圧コントロールユニットは該パワースイッチに接続されたコントロール回路を包含し、該コントロール回路は、該パワースイッチに接続され並びに該パワースイッチに対して電圧安定化による保護を提供するツェナダイオードを包含することを特徴とする、発光ダイオードに応用される駆動回路。
【請求項６】
請求項１記載の発光ダイオードに応用される駆動回路において、該第１電圧コントロールユニットは該パワースイッチに接続されたコントロール回路を包含し、該コントロール回路は電圧安定化素子を包含することを特徴とする、発光ダイオードに応用される駆動回路。
【請求項７】
請求項６記載の発光ダイオードに応用される駆動回路において、該電圧安定化素子は、ＮＰＮ型トランジスタ、ＰＮＰ型トランジスタ、演算増幅器、ダイオード及びツェナダイオードを直列接続したもののいずれかとされることを特徴とする、発光ダイオードに応用される駆動回路。
【請求項８】
請求項６記載の発光ダイオードに応用される駆動回路において、該第１パワー転移ユニットが該第１電圧コントロールユニットと同じ回路構造を形成することを特徴とする、発光ダイオードに応用される駆動回路。
【請求項９】
請求項８記載の発光ダイオードに応用される駆動回路において、該第１パワー転移ユニットに接続された第１拡充ユニットをさらに包含し、該第１拡充ユニットは、該第２列発光ダイオード及び該第１パワー転移ユニットと同じ回路構造を包含することを特徴とする、発光ダイオードに応用される駆動回路。
【請求項１０】
請求項１記載の発光ダイオードに応用される駆動回路において、該第１パワー転移ユニットは抵抗器を包含することを特徴とする、発光ダイオードに応用される駆動回路。
【請求項１１】
請求項１記載の発光ダイオードに応用される駆動回路において、該パワースイッチはＮ型パワースイッチ、Ｐ型パワースイッチ、ＮＰＮ型トランジスタ及びＰＮＰ型トランジスタのいずれかとされることを特徴とする、発光ダイオードに応用される駆動回路。
【請求項１２】
請求項１記載の発光ダイオードに応用される駆動回路において、第２電圧コントロールユニット及び第２パワー転移ユニットをさらに包含し、該第２電圧コントロールユニットと該第２パワー転移ユニットは該第１電圧コントロールユニット及び該第１パワー転移ユニットと並列に接続されることを特徴とする、発光ダイオードに応用される駆動回路。
【発明の詳細な説明】
【技術分野】
【０００１】
本発明は一種の回路にかかり、特に一種の、発光ダイオードの駆動回路を指す。
【背景技術】
【０００２】
周知の発光ダイオード駆動回路の回路構造は、典型的なものは、切り換え式電源変換器を採用した構造であり、図１に示されるように、そのうち、半導体パワースイッチ及び高周波切り換え方式により、低周波の交流電源信号或いは直流電源信号を、発光ダイオードに使用できる直流駆動信号に変換しなければならない。
【０００３】
この信号変換を達成するために採用される高周波切り換え方式は、多くのエネルギーを異なる変換器素子にあって浪費して、パワーの損耗を引き起し、同時に、高周波切り換えは各種信号の干渉をもたらし、さらに多くの素子でそれを抑制しなければならない。節電と小型化が求められる製品において、切り換え式電源変換器の構造は、発光ダイオード駆動回路の要求を満足させにくい。
【０００４】
さらに、一般の電圧調整器回路は、典型的に定電流コントロールに応用される一種の回路であり、広く各種定電流の要求に応用される。しかし、このような電圧調整器回路は応用時に、それが制御する定電流負荷が十分に大きなエネルギーを負担してはじめて、コントロール効果を取得でき、このため、電圧調整器回路の消耗パワーは、ずっとパワー変換器設計の問題であり、使用上、電圧調整器回路中、素子の消耗パワーが大きくなるほど、温度も高くなり、もし、発光ダイオード駆動回路の回路構造に応用すると、製品に対応して採用される放熱の機構も大きくなり、このため、製品の節電及び小型化の訴求に背くことになり、このため、改善の必要がある。
【発明の概要】
【発明が解決しようとする課題】
【０００５】
本発明の主要な目的は、周知の発光ダイオード駆動回路が、切り換え式電源変換器を使用した構造であるために形成する、パワー損耗が過大となると共に干渉を受けやすいという問題を解決することにある。
【０００６】
本発明のもう一つの目的は、周知の発光ダイオード駆動回路が、電圧調整器回路を使用し、素子パワー損耗過大により温度が上昇し、これによりそれを応用する製品が、放熱機構の制限を受けることになり、小型化が容易でなくなるという問題を解決することにある。
【課題を解決するための手段】
【０００７】
上述の目的を達成するため、本発明は一種の発光ダイオードに応用される駆動回路を提供する。その特徴は、以下のとおりである。本発明は、電源供給ユニット、第１列発光ダイオード、第１電圧コントロールユニット、第２列発光ダイオード、及び第１パワー転移ユニットを包含する。
【０００８】
該電源供給ユニットは駆動パワーを出力する出力端を包含する。
【０００９】
該第１列発光ダイオードは該出力端に接続され該駆動パワーによる駆動を受け、並びに該出力端に接続された第１アノード端子と第１カソード端子を包含する。
【００１０】
該第１電圧コントロールユニットは該第１カソード端子に接続されて、該駆動パワーを受け取り安定化した後の電圧を該第１列発光ダイオードに提供する。該第１電圧コントロールユニットはパワースイッチを包含し、且つ該駆動パワーは該パワースイッチにおいてロスパワーを発生する。
【００１１】
該第２列発光ダイオードは該第１電圧コントロールユニットに接続される。
【００１２】
該第１パワー転移ユニットは該第２列発光ダイオードと該第１電圧コントロールユニットの間に接続される。
【００１３】
そのうち、該第１パワー転移ユニットは該第１電圧コントロールユニットの該パワースイッチにおいて発生する該ロスパワーを、該第１パワー転移ユニットを介して該第２列発光ダイオードへの出力に転じ、これにより該第２列発光ダイオードを駆動する。
【発明の効果】
【００１４】
こうして、以上の技術手段により、本発明は少なくとも以下の長所を有する。
１．本発明は該第１電圧コントロールユニットの設置を利用し、周知の、該切り換え式電源変換器の使用が形成する、過大なパワーロスと干渉を受けやすい問題を防止する。
２．本発明は該第１パワー転移ユニット及び該第２列発光ダイオードの該第１電圧コントロールユニットとの接続を利用し、該第１電圧コントロールユニットがもともと該パワースイッチにおいて消耗していた該ロスパワーを、出力に転じて該第２列発光ダイオードを駆動し、該パワースイッチが該ロスパワーにより発生する温度の過高のために余分に放熱機構を設置しなければならない問題を解決して、製品を小型化できるのみならず、該ロスパワーを該第２列発光ダイオードの発光に用いて、該駆動回路の発光性能を高め、これにより、エネルギーを有効利用して節電を達成する。
３．本発明は切り換え式電源変換器を使用する必要がなく、構造が簡単で、製造コストが低く、温度が低く、安定性が良好である長所を有する。
【図面の簡単な説明】
【００１５】
【図１】周知の発光ダイオード駆動回路の回路表示図である。
【図２】本発明の回路ブロック図である。
【図３】本発明の第１実施例の回路表示図である。
【図４】本発明の第２実施例の回路表示図である。
【図５】本発明の第３実施例の回路表示図である。
【図６】本発明の第４実施例の回路表示図である。
【図７】本発明の第５実施例の回路表示図である。
【図８】本発明の第６実施例の回路表示図である。
【図９】本発明の第７実施例の回路表示図である。
【図１０】本発明の第８実施例の回路表示図である。
【図１１】本発明の第９実施例の回路表示図である。
【図１２】本発明の第１０実施例の回路表示図である。
【図１３】本発明の第１１実施例の回路表示図である。
【図１４】本発明の第１２実施例の回路表示図である。
【発明を実施するための形態】
【００１６】
本発明の技術内容、構造特徴、達成する目的を詳細に説明するため、以下に実施例を挙げ並びに図面を組み合わせて説明する。
【００１７】
図２を参照されたい。それは本発明の回路ブロック図である。図示されるように、本発明は、一種の、発光ダイオードに応用される駆動回路を提供する。その特徴は以下のとおりである。
【００１８】
本発明は、電源供給ユニット１０、第１列発光ダイオード２０、第１電圧コントロールユニット３０、第２列発光ダイオード４０、及び第１パワー転移ユニット５０を包含する。
【００１９】
該電源供給ユニット１０は、駆動パワーを出力する出力端１１を包含する。
【００２０】
該第１列発光ダイオード２０は該出力端１１に接続され並びに該駆動パワーによる駆動を受け、並びに該出力端１１に接続された第１アノード端子２１と第１カソード端子２２を包含する。
【００２１】
該第１電圧コントロールユニット３０は該第１カソード端子２２に接続されて、該駆動パワーを受け取り安定化した後の電圧を該第１列発光ダイオード２０に提供する。該第１電圧コントロールユニット３０はコントロール端子３２、フィードバック端子３３、及びそれぞれ該コントロール端子３２及び該フィードバック端子３３に接続されたパワースイッチ３１を包含し、該駆動パワーは該パワースイッチ３１においてロスパワーを発生する。
【００２２】
該第２列発光ダイオード４０は該第１電圧コントロールユニット３０に接続される。
【００２３】
該第１パワー転移ユニット５０は該第２列発光ダイオード４０と該第１電圧コントロールユニット３０の間に接続され、これにより、該第２列発光ダイオード４０と直列接続を形成し、該第２列発光ダイオード４０と、該コントロール端子３２と該フィードバック端子３３の間に接続される。
【００２４】
こうして、該第１パワー転移ユニット５０は、該第１電圧コントロールユニット３０の該パワースイッチ３１において発生した該ロスパワーを、該第１パワー転移ユニット５０により該第２列発光ダイオード４０への出力に転じ、これにより該第２列発光ダイオード４０を駆動する。
【００２５】
図３を参照されたい。それは本発明の第１実施例の回路表示図である。図示されるように、この実施例において、該第１列発光ダイオード２０は、電流漣波をフィルタリング除去し並びに安定化直流電流を獲得できる第１コンデンサ２３及び第１抵抗器２４に並列接続され、さらに、該第１アノード端子２１で該電源供給ユニット１０の該出力端１１に接続される。
【００２６】
該電源供給ユニット１０は、フルブリッジ整流器１２と該フルブリッジ整流器１２に接続された交流電源１３を包含する。
【００２７】
該第１電圧コントロールユニット３０は、該第１列発光ダイオード２０の該第１カソード端子２２に接続される。
【００２８】
該第２列発光ダイオード４０は、該第１電圧コントロールユニット３０に接続され、並びに第２アノード端子４１及び第２カソード端子４２を包含する。
【００２９】
この実施例において、該第２列発光ダイオード４０は、該第２アノード端子４１を以て、整流ダイオード４５を介して該第１電圧コントロールユニット３０に接続され、且つ該第２列発光ダイオード４０は第２コンデンサ４３及び第２抵抗器４４と並列に接続され、該第１パワー転移ユニット５０はすなわち、該第２列発光ダイオード４０の該第２カソード端子４２と該第１電圧コントロールユニット３０の間に接続され、並びに該第１電圧コントロールユニット３０と同じ回路構造を具えている。
【００３０】
この実施例中、該第１電圧コントロールユニット３０は、該パワースイッチ３１ａ及び該パワースイッチ３１ａに接続されたコントロール回路３４を包含する。
【００３１】
該パワースイッチ３１ａはＮ型パワースイッチとされ、該コントロール回路３４はツェナダイオード３４２、第３抵抗器３４３、電圧安定化素子３４１ａ、第４抵抗器３４４及び第５抵抗器３４５を包含する。
【００３２】
該ツェナダイオード３４２は該パワースイッチ３１ａのゲート電極に接続され、該パワースイッチ３１ａに電圧安定化保護を提供し、該第３抵抗器３４３は該パワースイッチ３１ａのゲート電極と該コントロール端子３２の間に接続される。該電圧安定化素子３４１ａはここではＮＰＮトランジスタとされ、それは該パワースイッチ３１ａのゲート電極に接続され、該第４抵抗器３４４は該ＮＰＮトランジスタのエミッタ電極に接続され、該第５抵抗器３４５はすなわち、該ＮＰＮトランジスタのゲート電極に接続される。
【００３３】
該交流電源１３が、該フルブリッジ整流器１２により整流されて直流電圧とされて、該第１列発光ダイオード２０に提供されることで、該第１列発光ダイオード２０が発光させられ、該第１電圧コントロールユニット３０が電流をコントロールして定電流となし、該第１列発光ダイオード２０の発光を一定の輝度に安定させる。このとき、該パワースイッチ３１ａに発生する該ロスパワーは変換されて該第２列発光ダイオード４０及び該第１パワー転移ユニット５０に至り、該第２列発光ダイオード４０を駆動する。
【００３４】
図４を参照されたい。それは本発明の第２実施例の回路図である。この実施例中、第１実施例と比較すると、その特徴は、該電圧安定化素子３４１ｂが該ＮＰＮトランジスタから３端子電圧調整器へと置換され、該３端子電圧調整器のゲート電極は該第５抵抗器３４５に接続され、該第５抵抗器３４５に安定化電圧を提供することにある。
【００３５】
図５を参照されたい。それは本発明の第３実施例の回路図である。この実施例中、第１実施例と比較すると、その特徴は、該電圧安定化素子３４１ｃがＮＰＮトランジスタから直列ダイオードに切り換えられ、該直列ダイオードはまた、該第５抵抗器３４５に安定化電圧を提供できることにある。
【００３６】
図６を参照されたい。それは本発明の第４実施例の回路図である。この実施例中、第１実施と比較すると、その特徴は、該電圧安定化素子３４１ｄが、ＮＰＮトランジスタからツェナダイオードに置換され、該ツェナダイオード３４２はまた、該第５抵抗器３４５に安定化電圧を提供できることにある。
【００３７】
図７を参照されたい。それは本発明の第５実施例の回路図である。この実施例中、第１実施と比較すると、その特徴は、該パワースイッチ３１ｂが該Ｎ型パワースイッチからＮＰＮトランジスタに置換されたことにある。
【００３８】
図８を参照されたい。それは本発明の第６実施例の回路図である。この実施例中、第５実施例と比較すると、その特徴は以下のとおりである。該第１電圧コントロールユニット３０中の該コントロール回路３４が、積分回路を包含し、該積分回路において、該電圧安定化素子３４１ｅは該ＮＰＮトランジスタから演算増幅器に置換され、該演算増幅器は該パワースイッチ３１ｂのベース電極、該ツェナダイオード３４２のカソード電極及び第３コンデンサ３４６に接続され、該第３コンデンサ３４６の他端は、該演算増幅器の逆相端子及び該第５抵抗器３４５に接続された第６抵抗器３４７に接続され、該第６抵抗器３４７、該ツェナダイオード３４２のアノード電極はさらに、該フィードバック端子３３に接続され、該演算増幅器の非逆相端子は、それぞれ直流電圧端子に接続された第７抵抗器３４８及び接地端子に接続された第８抵抗器３４９に接続される。
【００３９】
図９を参照されたい。それは本発明の第７実施例の回路図である。この実施例中、第１実施例と比較すると、その特徴は以下のとおりである。該第１パワー転移ユニット５０が直接抵抗器５１に接続されて、限流抵抗として使用され、該第１電圧コントロールユニット３０とは異なる回路構造を有する。
【００４０】
図１０を参照されたい。それは本発明の第８実施例の回路図である。この実施例中、第１実施例と比較すると、その特徴は以下のとおりである。該パワースイッチ３１ｃが、該Ｎ型パワースイッチ３１からＰ型パワースイッチに切り換えられ、且つ該コントロール回路３４の構造が、使用する該パワースイッチ３１ｃの特性に応じて置換され、このほか、ＮＰＮ型トランジスタ、ＰＮＰ型トランジスタに置換されてもよい。
【００４１】
図１１を参照されたい。それは本発明の第９実施例の回路図である。この実施例中、第１実施例と比較すると、その特徴は以下のとおりである。該駆動回路はさらに、第２電圧コントロールユニット６０及び第２パワー転移ユニット７０を包含する。該第２電圧コントロールユニット６０及び該第２パワー転移ユニット７０は該第１電圧コントロールユニット３０及び該第１パワー転移ユニット５０に並列に接続され、これにより、該ロスパワーが完全には該第１パワー転移ユニット５０により該第２列発光ダイオード４０への出力に転移されないとき、該第２パワー転移ユニット７０は、該第２列発光ダイオード４０に出力されない残りの該ロスパワーの出力を補助する。
【００４２】
説明しておくべきことは、この実施例中、該ロスパワーの大きさにより、第３電圧コントロールユニット及び第３パワー転移ユニット、第４電圧コントロールユニット及び第４パワー転移ユニットを並列接続して調整でき、これを以て類推される調整は制限されない。
【００４３】
図１２を参照されたい。それは本発明の第１０実施例の回路図である。この実施例中、第１実施例と比較すると、その特徴は以下のとおりである。該電源供給ユニット１０は交流電源１３とされ、これにより、該駆動回路は、該交流電源１３の出力する交流の特性により、該第１列発光ダイオード２０、該第１電圧コントロールユニット３０、該第２列発光ダイオード４０及び該第１パワー転移ユニット５０を包含する同じ回路の第１回路８０が直列に接続され、交流型発光ダイオードの駆動回路を形成する。
【００４４】
図１３を参照されたい。それは本発明の第１１実施例の回路図である。この実施例中、第１実施例と比較すると、その特徴は以下のとおりである。該電源供給ユニット１０は直流電源１４とされ、これにより、該駆動回路は、該直流電源１４の出力する直流の特性により、該第１列発光ダイオード２０、該第１電圧コントロールユニット３０、該第２列発光ダイオード４０及び該第１パワー転移ユニット５０を包含する同じ回路の第２回路９０が並列に接続され、直流型発光ダイオードの駆動回路を形成する。
【００４５】
図１４を参照されたい。それは本発明の第１２実施例の回路図である。この実施例中、第１実施例と比較すると、その特徴は以下のとおりである。該駆動回路はさらに第１拡充ユニット１００を包含する。該第１拡充ユニット１００は該第２列発光ダイオード４０及び該第１パワー転移ユニット５０と同じ回路構造を包含し、この実施例では、該第１パワー転移ユニット５０は該第１電圧コントロールユニット３０と同じ回路構造を有し、該第１電圧コントロールユニット３０の該コントロール端子３２と該フィードバック端子３３に対応する第１コントロール端子５２と第１フィードバック端子５３を有する。該第１拡充ユニット１００はすなわち、該第１パワー転移ユニット５０の該第１コントロール端子５２と該第１フィードバック端子５３の間に接続される。
【００４６】
こうして、該第１パワー転移ユニット５０の第１パワースイッチ５４の発生する第１パワーロスは、変換されて該第１拡充ユニット１００に至り、該第１パワースイッチ５４の発熱温度を下げ、並びに該第１拡充ユニット１００中の発光ダイオード列１０１を発光させ、該第１拡充ユニット１００の設置により、全体的な変換効率をさらにアップできる。
【００４７】
説明しておくべきこととして、同じ原理により、さらに、該第１拡充ユニット１００と同じ回路構造の第２拡充ユニットを、第１拡充ユニット１００に接続し、該第２拡充ユニットと同じ回路構造を有する第３拡充ユニットを該第２拡充ユニットに接続でき、これを以て類推されるようにして、良好な変換効率を達成できる。
【００４８】
総合すると、本発明は少なくとも以下の長所を有している。
１．本発明は、該第１電圧コントロールユニットの設置を利用し、周知の、該切り換え式電源変換器の使用が形成する、過大なパワーロス及び干渉を受けやすい問題を防止できる。
２．本発明は該第１パワー転移ユニット及び該第２列発光ダイオードの該第１電圧コントロールユニットとの接続を利用し、該第１電圧コントロールユニットがもともと該パワースイッチにおいて消耗していたロスパワーを、該第２列発光ダイオードを駆動する出力に転じ、これにより該パワースイッチが該ロスパワーにより発生する温度過高のために余分に放熱機構を設置する必要が生じる問題を解決するのみならず、製品を小型化できるようにし、さらに、該ロスパワーを該第２列発光ダイオードに用いて発光させ、該駆動回路の発光性能をアップし、これにより、有効にエネルギー資源を利用し節電を達成する。
３．本発明は切り換え式電源変換器を使用する必要がなく、構造が簡単で、製造コストが低く、温度が低く、安定性が良好である長所を有する。
４．本発明は該第２電圧コントロールユニット及び該第２パワー転移ユニットの設置により、該ロスパワーの大きさに応じて調整でき、良好な出力転移効果を達成できる。
５．本発明はさらに、第１拡充ユニットの設置により、該パワーロスを利用して発光を行ない、好ましい転換効率を達成できる。
【００４９】
これにより、本発明は進歩性を具備し、特許の要件を具備しており、ここに特許出願を行う次第です。
【００５０】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５１】
１０  電源供給ユニット
１１  出力端
１２  フルブリッジ整流器
１３  交流電源
１４  直流電源
２０  第１列発光ダイオード
２１  第１アノード端子
２２  第１カソード端子
２３  第１コンデンサ
２４  第１抵抗器
３０  第１電圧コントロールユニット
３１  パワースイッチ
３１ａ  パワースイッチ
３１ｂ  パワースイッチ
３１ｃ  パワースイッチ
３２  コントロール端子
３３  フィードバック端子
３４  コントロール回路
３４１ａ  電圧安定化素子
３４１ｂ  電圧安定化素子
３４１ｃ  電圧安定化素子
３４１ｄ  電圧安定化素子
３４１ｅ  電圧安定化素子
３４２  ツェナダイオード
３４３  第３抵抗器
３４４  第４抵抗器
３４５  第５抵抗器
３４６  第３コンデンサ
３４７  第６抵抗器
３４８  第７抵抗器
３４９  第８抵抗器
４０  第２列発光ダイオード
４１  第２アノード端子
４２  第２カソード端子
４３  第２コンデンサ
４４  第２抵抗器
４５  整流ダイオード
５０  第１パワー転移ユニット
５１  直接抵抗器
５２  第１コントロール端子
５３  第１フィードバック端子
５４  第１パワースイッチ
６０  第２電圧コントロールユニット
７０  第２パワー転移ユニット
８０  第１回路
９０  第２回路
１００  第１拡充ユニット
１０１  発光ダイオード列
【図１】
2014107538.tif 000003
【図２】
2014107538.tif 000004
【図３】
2014107538.tif 000005
【図４】
2014107538.tif 000006
【図５】
2014107538.tif 000007
【図６】
2014107538.tif 000008
【図７】
2014107538.tif 000009
【図８】
2014107538.tif 000010
【図９】
2014107538.tif 000011
【図１０】
2014107538.tif 000012
【図１１】
2014107538.tif 000013
【図１２】
2014107538.tif 000014
【図１３】
2014107538.tif 000015
【図１４】
2014107538.tif 000016